(57)【特許請求の範囲】
【請求項１】
イルリガートルスタンドにおける支柱部を立設した脚部を、対角線方向に拡開する複数の脚枠によって構成して、これら脚枠先端側に取付基部を介して旋回自在に移動用キャスタを取り付け、これら移動用キャスタは、前記取付基部の固定部に回動自在な旋回部に固設した保持枠によって回動自在に車輪を保持する構成とし、前記保持枠を略弓形形状の部材で構成して、先端側を車輪の接地面近傍の床面に、略鉛直上方向から、車輪の径および通路中に存在する溝の幅に応じた微小距離近接させて、没入阻止部として構成したことを特徴とするイルリガートルスタンド用キャスタ装置。
【請求項２】
前記没入阻止部を、車輪の接地面幅方向外側に延在させてなることを特徴とする請求項１記載のイルリガートルスタンド用キャスタ装置。
【発明の詳細な説明】
【０００１】
【発明の属する技術分野】
本発明は、建物における、例えばエレベータ等の入口にできる溝などに車輪が入り込んで挟まれたりして、備品が移動不能となったり、転倒するようなことを防止できるようにした、イルリガートルスタンド用キャスタ装置に関するものである。
【０００２】
【従来の技術】
近年、高齢者人口の増加に伴い、屋内においても屋外においても、段差の解消を目指した、いわゆるバリアフリー化が進められている。特に、病院においては、玄関口、通路、病室入口等、極力段差のないような構造となってきている。
【０００３】
【発明が解決しようとする課題】
しかしながら、それでも図５に示すようにエレベータＥＶの入口等では、籠Ｃと開口部Ｄとの間には溝Ｓがあり、例えば、点滴瓶等を吊り下げて自在に移動できるようにしたイルリガートルスタンド１を伴って患者が出入りする際、イルリガートルスタンド１を支える脚部２のキャスタ３は、車輪Ｗの幅が前記溝Ｓの幅寸法より小さいために、キャスタ３の旋回によって車輪Ｗの回転方向が前記溝Ｓに沿う方向に向くと、前記溝Ｓに車輪Ｗが没入してしまうことがある（図６参照）。そうすると、前記イルリガートルスタンド１は移動不能となったり、支柱部４が傾いてイルリガートルスタンド１の転倒のおそれがあった。
本発明は、以上のような背景から提案されたものであって、建物における、例えばエレベータ等の入口にできる溝などに車輪が入り込んで挟まれたりして、備品が移動不能となったり、転倒するようなことを防止できるようにした、イルリガートルスタンド用キャスタ装置を提供することを目的とする。
【０００４】
【課題を解決するための手段】
前記した課題を解決するために、本発明では、請求項１において、イルリガートルスタンドにおける支柱部を立設した脚部を、対角線方向に拡開する複数の脚枠によって構成して、これら脚枠先端側に取付基部を介して旋回自在に移動用キャスタを取り付け、これら移動用キャスタは、前記取付基部の固定部に回動自在な旋回部に固設した保持枠によって回動自在に車輪を保持する構成とし、前記保持枠を略弓形形状の部材で構成して、先端側を車輪の接地面近傍の床面に、略鉛直上方向から、車輪の径および通路中に存在する溝の幅に応じた微小距離近接させて、没入阻止部として構成したイルリガートルスタンド用キャスタ装置を提案する。
また本発明では、請求項２において、前記没入阻止部を、車輪の接地面幅方向外側に延在させてなるイルリガートルスタンド用キャスタ装置を提案する。
【０００５】
請求項１によれば、イルリガートルスタンドを移動中に通路中における溝などに車輪が至っても、車輪を支える保持枠先端側の没入阻止部により車輪が溝に没入するのを阻止することができる。
【０００６】
請求項２によれば、没入阻止部を、車輪の接地面幅方向外側に延在しているので、車輪の没入を効果的に阻止することができる。
【０００７】
【発明の実施の態様】
次に、本発明にかかるイルリガートルスタンド用キャスタ装置について、病院において使用されるイルリガートルスタンドの一つの実施の形態を示し、添付の図面に基づいて以下説明する。
図１に示すイルリガートルスタンド１は、移動用キャスタ１０を備えている。
前記イルリガートルスタンド１は、移動用キャスタ１０を装着した脚部２に立設した支柱部４を構成する基部支柱１１、基部支柱１１に高さ調節ノブ１２により、高さ調節可能に装着してなる支持支柱１３を有し、支持支柱１３頂部に設けた、点滴瓶等を吊下げるための吊し具１４を備えている。
【０００８】
前記脚部２は、図示するように、五角形の対角線方向に拡開する脚枠２ａを有し、中心に前記支柱部４を立設している。
前記脚枠２ａは、前記支柱部４を立設した中心から中間部位にかけて直状に形成しており、中間部位から先端にかけて駆け上がる段差状に形成し、この先端側に前記移動用キャスタ１０を取り付けるようにしている。なお、前記脚枠２ａ間には、固定踏込ステップ１５を介設している。
【０００９】
そして前記移動用キャスタ１０は、脚部２の脚枠２ａ先端側において、取付基部１６を介して旋回自在に取り付けている（図２、図３参照）。すなわち移動用キャスタ１０は、前記取付基部１６の固定部１６ａに回動自在な旋回部１６ｂに固設した保持枠であるヨーク１７，１７によって回動自在に車輪１８を保持する構成としている。
前記ヨーク１７，１７は、略弓形形状の部材で、先端側を車輪１８の接地面近傍の床面に近接させて、没入阻止部１７ａとしている。この没入阻止部１７ａは、床面に略鉛直上方向から微小距離ｄ（例えば略３ｍｍ）近接させている。勿論、この微小距離ｄは、車輪１８の径、溝Ｓの幅に応じて適宜決められるものである。
かかるヨーク１７，１７に、前記車輪１８が回転軸１９によって回動自在に取り付けている。
【００１０】
以上のような移動用キャスタ１０を装着したイルリガートルスタンド１において、看護婦は、脚枠２ａ，２ａ間の固定踏込ステップ１５を床面と共に踏み込むことでその場で動かないように保持しながら、支持支柱１３頂部の吊し具１４に、点滴瓶、輸液バッグを吊すことができる。
【００１１】
患者が点滴を受けている状態で病院内を移動するときは、前記イルリガートルスタンド１の支柱部４に設けている把手等を掴み、イルリガートルスタンド１を移動用キャスタ１０によって容易に移動させることができる。
その際、例えばエレベータＥＶの入口で、籠Ｃに乗り込むときや、降りるとき、開口部Ｄとの間の溝Ｓを通過する際、移動用キャスタ１０の車輪１８の回転方向が、取付基部１６の旋回部１６ｂの旋回によって前記溝Ｓの方向に向いて落ちるようなことがあっても、車輪１８を支持するヨーク１７，１７先端の没入阻止部１７ａ，１７ａが溝Ｓなどの縁に当たって車輪１８はほとんど溝内に没するようなことはなく（図４参照）、簡単にかかる溝Ｓを乗り越えて移動させることができる。
【００１２】
以上、本発明について、イルリガートルスタンド１に装着した例を挙げて説明したが、勿論、移動用キャスタ１０は、イルリガートルスタンド１に限らず、他の備品にも装着可能である。
【００１３】
【発明の効果】
以上の通り、本発明によれば、イルリガートルスタンドを搬送する際、移動用キャスタが建物における、例えばエレベータ等の入口にできる溝などに入り込んで挟まれたり、溝に移動用キャスタが拘束されて、移動不能となったり、転倒するようなことを防止することができ、安心して使用することができる。
【００１４】
【図面の簡単な説明】
【図１】  本発明にかかる移動用キャスタ装置を装着したイルリガートルスタンドの一例を示す外観斜視図である。
【図２】  図１に示すイルリガートルスタンドに装着した移動用キャスタの拡大図である。
【図３】  図２に示す移動用キャスタのＡ方向から見た、拡大図である。
【図４】  図２に示す移動用キャスタがエレベータの溝にかかった状態を示す説明図である。
【図５】  従来におけるキャスタを装着したイルリガートルスタンドが、エレベータの出入りの際に、エレベータの溝にキャスタが没入して移動不能の状態を示した、外観説明図である。
【図６】  図５に示す、没入状態にあるイルリガートルスタンドの脚部のキャスタと、傾斜状態にある支柱部の、拡大説明図である。
【符号の説明】
１                            イルリガートルスタンド
２                            脚部
２ａ                          脚枠
３                            キャスタ
４                            支柱部
１０                          移動用キャスタ
１１                          基部支柱
１２                          高さ調節ノブ
１３                          支持支柱
１４                          吊し具
１５                          固定踏込ステップ
１６                          取付基部
１６ａ                        固定部
１６ｂ                        旋回部
１７                          ヨーク
１７ａ                        没入阻止部
１８                          車輪
１９                          回転軸
【図１】
0003654640.tif 000002
【図２】
0003654640.tif 000003
【図３】
0003654640.tif 000004
【図４】
0003654640.tif 000005
【図５】
0003654640.tif 000006
【図６】
0003654640.tif 000007